(57)【要約】【課題】小型化かつ低価格化できる通信端末装置を提供する。【解決手段】第１の通信端末装置３は、インターネット９を利用したファクシミリで画像データの送信を実行する送受信部５７と、送受信部５７による相手先への画像データの送信が失敗したとき、インターネット９及び公衆交換電話網１１を利用したファクシミリで画像データの送信を実行する機能を有する第２の通信端末装置５に対して、送信を失敗した画像データの相手先への送信を、公衆交換電話網１１を利用したファクシミリによって実行することを委任する送信委任部５９と、を含む。【選択図】図１
2007208752.tif 000002
【特許請求の範囲】
【請求項１】
第１及び第２の通信端末装置を備える通信システムであって、
前記第１の通信端末装置は、
インターネットを利用したファクシミリで画像データの送信を実行する送信部と、
前記送信部による相手先への画像データの送信が失敗したとき、送信を失敗した画像データの前記相手先への送信を前記第２の通信端末装置に委任する送信委任部と、を含み、
前記第２の通信端末装置は、
インターネットを利用したファクシミリで画像データの送信を実行する第１の送信部と、
公衆交換電話網を利用したファクシミリで画像データの送信を実行する第２の送信部と、
前記委任されたとき、送信を失敗した画像データの前記相手先への送信を前記第２の送信部に実行させる送信受任部と、を含む
ことを特徴とする通信システム。
【請求項２】
前記送信委任部は、インターネットを利用したファクシミリにおいて前記相手先を特定するための第１の宛先情報を、前記相手先への送信を失敗した画像データと共に前記第２の通信端末装置へ送信し、
前記第２の通信端末装置は、
前記第１の宛先情報と公衆交換電話網を利用したファクシミリにおいて前記相手先を特定するための第２の宛先情報を対応付けて記憶する対応付け記憶部を含み、
前記送信受任部は、前記委任されたとき、前記対応付けを基にして前記第１の宛先情報を前記第２の宛先情報に変換して、送信を失敗した画像データの前記相手先への送信を前記第２の宛先情報を基にして前記第２の送信部に実行させる
ことを特徴とする請求項１に記載の通信システム。
【請求項３】
前記第１の通信端末装置は、
インターネットを利用したファクシミリにおいて前記相手先を特定するための第１の宛先情報と公衆交換電話網を利用したファクシミリにおいて前記相手先を特定するための第２の宛先情報を対応付けて記憶する対応付け記憶部を含み、
前記送信委任部は、前記送信部による相手先への画像データの送信が失敗したとき、前記対応付けを基にして前記第１の宛先情報を前記第２の宛先情報に変換して、前記相手先への送信を失敗した画像データと共に前記第２の宛先情報を前記第２の通信端末装置へ送信し、
前記第２の通信端末装置の前記送信受任部は、送信を失敗した画像データの前記相手先への送信を、前記送信委任部から送信された前記画像データ及び前記第２の宛先情報を基にして、前記第２の送信部に実行させる
ことを特徴とする請求項１に記載の通信システム。  
【請求項４】
前記第２の通信端末装置は、前記相手先への送信を失敗した画像データを、インターネットを利用したファクシミリ用から公衆交換電話網を利用したファクシミリ用に変換する画像データ変換部を含み、
前記送信受任部は、送信を失敗した画像データの前記相手先への送信を、変換後の画像データで前記第２の送信部に実行させる  
ことを特徴とする請求項２又は３に記載の通信システム。
【請求項５】
前記相手先への送信を失敗した画像データは、インターネットを利用するファクシミリのプロトコルによって前記第１の通信端末装置から前記第２の通信端末装置へ送信される
ことを特徴とする請求項２〜４のいずれか一項に記載の通信システム。
【請求項６】
前記第１の通信端末装置には、ダイヤルイン番号が割り当てられており、
前記第２の通信端末装置は、
インターネットを利用したファクシミリで画像データの受信を実行する第１の受信部と、
公衆交換電話網を利用したファクシミリで画像データの受信を実行すると共に前記ダイヤルイン番号を宛先情報として前記第１の通信端末装置へ送信された画像データを前記第１の通信端末装置に代替して受信を実行する第２の受信部と、
前記第２の受信部が受信した前記第１の通信端末装置への画像データを前記第１の通信端末装置へ転送する転送部と、を含む
ことを特徴とする請求項１〜５のいずれか一項に記載の通信システム。
【請求項７】
インターネットを利用したファクシミリで画像データの送信を実行する送信部と、
前記送信部による相手先への画像データの送信が失敗したとき、インターネット及び公衆交換電話網を利用したファクシミリで画像データの送信を実行する機能を有する他の通信端末装置に対して、送信を失敗した画像データの前記相手先への送信を、公衆交換電話網を利用したファクシミリによって実行することを委任する送信委任部と、を含む
ことを特徴とする通信端末装置。
【発明の詳細な説明】
【技術分野】
【０００１】
本発明は、ファクシミリで画像データの送受信を実行する通信システム及び通信端末装置に関する。
【背景技術】
【０００２】
従来から、インターネットを利用するファクシミリ通信及び公衆交換電話網を利用するファクシミリ通信の両方の機能を備えた通信端末装置がある。その中には公衆交換電話網を利用するファクシミリによって画像データの送信が所定回連続して失敗した場合、自動的に、インターネットを利用するファクシミリでの送信に切り換える機能を有するものがある（例えば特許文献１参照）。
【０００３】
また、公衆交換電話網を利用するファクシミリ通信の機能を備えていない端末装置の代わりに、公衆交換電話網を利用したファクシミリによって送信されてきた画像データを受信し、受信した画像データを電子メールに変換して上記端末装置に送信するＦＡＸゲートウェイ装置がある（例えば特許文献２参照）。
【特許文献１】特開２０００−３０７７９５号公報
【特許文献２】特開平９−１０２７９８号公報
【発明の開示】
【発明が解決しようとする課題】
【０００４】
インターネットを利用するファクシミリ通信の機能を備えた通信端末装置は、通常、公衆交換電話網を利用するファクシミリ通信の機能を併せ持っている。これは、インターネットでのファクシミリ通信が失敗したとき、公衆交換電話網を利用するファクシミリ通信に代替させるためである。
【０００５】
しかし、通信端末装置がインターネット及び公衆交換電話網を利用するファクシミリ通信を併せ持つと、その分だけ部品が増えるので、通信端末装置が大型化かつ高価格化する。
【０００６】
本発明の目的は、小型化かつ低価格化できる通信端末装置及び通信システムを提供することである。
【課題を解決するための手段】
【０００７】
本発明に係る通信システムは、第１及び第２の通信端末装置を備える通信システムであって、前記第１の通信端末装置は、インターネットを利用したファクシミリで画像データの送信を実行する送信部と、前記送信部による相手先への画像データの送信が失敗したとき、送信を失敗した画像データの前記相手先への送信を前記第２の通信端末装置に委任する送信委任部と、を含み、前記第２の通信端末装置は、インターネットを利用したファクシミリで画像データの送信を実行する第１の送信部と、公衆交換電話網を利用したファクシミリで画像データの送信を実行する第２の送信部と、前記委任されたとき、送信を失敗した画像データの前記相手先への送信を前記第２の送信部に実行させる送信受任部と、を含む。
【０００８】
本発明に係る通信システムにおいて、前記送信委任部は、インターネットを利用したファクシミリにおいて前記相手先を特定するための第１の宛先情報を、前記相手先への送信を失敗した画像データと共に前記第２の通信端末装置へ送信し、前記第２の通信端末装置は、前記第１の宛先情報と公衆交換電話網を利用したファクシミリにおいて前記相手先を特定するための第２の宛先情報を対応付けて記憶する対応付け記憶部を含み、前記送信受任部は、前記委任されたとき、前記対応付けを基にして前記第１の宛先情報を前記第２の宛先情報に変換して、送信を失敗した画像データの前記相手先への送信を前記第２の宛先情報を基にして前記第２の送信部に実行させる、ようにすることができる。
【０００９】
本発明に係る通信システムにおいて、前記第１の通信端末装置は、インターネットを利用したファクシミリにおいて前記相手先を特定するための第１の宛先情報と公衆交換電話網を利用したファクシミリにおいて前記相手先を特定するための第２の宛先情報を対応付けて記憶する対応付け記憶部を含み、前記送信委任部は、前記送信部による相手先への画像データの送信が失敗したとき、前記対応付けを基にして前記第１の宛先情報を前記第２の宛先情報に変換して、前記相手先への送信を失敗した画像データと共に前記第２の宛先情報を前記第２の通信端末装置へ送信し、前記第２の通信端末装置の前記送信受任部は、送信を失敗した画像データの前記相手先への送信を、前記送信委任部から送信された前記画像データ及び前記第２の宛先情報を基にして、前記第２の送信部に実行させる、ようにすることができる。
【００１０】
本発明に係る通信システムにおいて、前記第２の通信端末装置は、前記相手先への送信を失敗した画像データを、インターネットを利用したファクシミリ用から公衆交換電話網を利用したファクシミリ用に変換する画像データ変換部を含み、前記送信受任部は、送信を失敗した画像データの前記相手先への送信を、変換後の画像データで前記第２の送信部に実行させる、ようにすることができる。
【００１１】
本発明に係る通信システムにおいて、前記相手先への送信を失敗した画像データは、インターネットを利用するファクシミリのプロトコルによって前記第１の通信端末装置から前記第２の通信端末装置へ送信される、ようにすることができる。
【００１２】
本発明に係る通信システムにおいて、前記第１の通信端末装置には、ダイヤルイン番号が割り当てられており、前記第２の通信端末装置は、インターネットを利用したファクシミリで画像データの受信を実行する第１の受信部と、公衆交換電話網を利用したファクシミリで画像データの受信を実行すると共に前記ダイヤルイン番号を宛先情報として前記第１の通信端末装置へ送信された画像データを前記第１の通信端末装置に代替して受信を実行する第２の受信部と、前記第２の受信部が受信した前記第１の通信端末装置への画像データを前記第１の通信端末装置へ転送する転送部と、を含むようにすることができる。
【００１３】
本発明に係る通信端末装置は、インターネットを利用したファクシミリで画像データの送信を実行する送信部と、前記送信部による相手先への画像データの送信が失敗したとき、インターネット及び公衆交換電話網を利用したファクシミリで画像データの送信を実行する機能を有する他の通信端末装置に対して、送信を失敗した画像データの前記相手先への送信を、公衆交換電話網を利用したファクシミリによって実行することを委任する送信委任部と、を含む。
【発明の効果】
【００１４】
本発明に係る通信システムによれば、第１の通信端末装置において、インターネットを利用したファクシミリで相手先への画像データの送信が失敗しても、これを第２の通信端末装置に委任して、公衆交換電話網を利用したファクシミリにより相手先へ送信することができる。よって、本発明に係る通信システムによれば、第１の通信端末装置が公衆交換電話網を利用したファクシミリ通信の機能を備えていなくても、備えているのと同様の利用ができる。そして、第１の通信端末装置は公衆交換電話網を利用したファクシミリ通信に必要な部品（モデムなど）が不要なので、小型化かつ低価格化できる。
【００１５】
本発明に係る通信端末装置によれば、インターネットを利用したファクシミリで相手先への画像データの送信が失敗したとき、インターネット及び公衆交換電話網を利用したファクシミリで画像データの送信を実行する機能を有する他の通信端末装置に対して、送信を失敗した画像データの相手先への送信を、公衆交換電話網を利用したファクシミリによって実行することを委任する。よって、本発明に係る通信端末装置によれば、公衆交換電話網を利用したファクシミリ通信の機能を備えていなくても、備えているのと同様の利用ができる。そして、通信端末装置は公衆交換電話網を利用したファクシミリ通信に必要な部品（モデムなど）が不要なので、小型化かつ低価格化できる。
【発明を実施するための最良の形態】
【００１６】
本発明の実施形態について図面を用いて説明する。図１は、第１実施形態に係る通信システム１の構成を示すブロック図である。通信システム１は、第１の通信端末装置３と第２の通信端末装置５がＬＡＮ７で接続された構成を有する。第１の通信端末装置３は複数あり、インターネット９を利用するファクシミリ通信の機能を備えているが、公衆交換電話網１１を利用するファクシミリ通信の機能を備えていない。これに対して、第２の通信端末装置５は一台であり、インターネット９を利用するファクシミリ通信の機能及び公衆交換電話網１１を利用するファクシミリ通信の機能の両方を備えている。  
【００１７】
まず、第１の通信端末装置３や第２の通信端末装置５として用いられるデジタル複合機について説明する。図２は、第１の通信端末装置３として用いられるデジタル複合機１３の構成を示すブロック図である。デジタル複合機１３は、コピー、プリンタ、スキャナ及びファクシミリの機能を有する。ファクシミリ機能により、デジタル複合機１３を第１の通信端末装置３として用いることができる。
【００１８】
デジタル複合機１３は、制御部１５、画像読取部１７、画像記録部１９、表示部２１、操作部２３、ＲＯＭ２５、ＲＡＭ２７、画像メモリ２９、コーデック３１、ＬＡＮインターフェース３３が相互にバス３５で接続された構成を有する。制御部１５は、例えばＣＰＵにより実現されており、デジタル複合機１３を構成する上記ハードウェアを制御すると共にデジタル複合機１３の動作に必要なソフトウェアを実行する。
【００１９】
画像読取部１７は、ＣＣＤ等によって画像（文字、図、写真等）を読み取って画像データとして出力する。画像記録部１９は、電子写真方式等のプリンタであり、画像読取部１７から出力された画像データやファクシミリで受信した別のファクシミリ装置からの画像データを画像に戻し、この画像が記録された用紙を出力する。
【００２０】
表示部２１は、デジタル複合機１３の動作状態、相手先名、各種設定内容等を表示する。表示部２１は、ＬＣＤ、ＣＲＴ等で実現される。操作部２３は、デジタル複合機１３の操作に必要なキー（テンキー、短縮キー、ワンタッチキー、スタートキー、リセットキー、各種のファンクションキー等）を備える。
【００２１】
ＲＯＭ２５は、デジタル複合機１３の動作に必要なソフトウェアを記憶している。ＲＡＭ２７は、ＳＲＡＭ、ＤＲＡＭ、フラッシュメモリ等により実現されており、ソフトウェアの実行時に発生するデータを一時的に記憶する。
【００２２】
画像メモリ２９は、ＤＲＡＭ等で実現されており、送信すべき画像データ、受信した画像データ、画像読取部１７から出力された画像データ等を一時的に記憶する。コーデック３１は、画像データを符号化圧縮すると共に符号化圧縮されている画像データを復号する。ＬＡＮインターフェース３３は、デジタル複合機１３がＬＡＮ７と通信可能に接続するインターフェースである。ＬＡＮ７は、ルータ３７を介してインターネット９と接続されている。
【００２３】
次に、第２の通信端末装置５として用いられるデジタル複合機について説明する。図３は、そのデジタル複合機３９の構成を示すブロック図である。デジタル複合機３９の構成がデジタル複合機１３の構成と異なるのは、モデム４１及びＮＣＵ４３を備える点である。これにより、第２の通信端末装置５は、公衆交換電話網１１を利用するファクシミリ通信の機能を備える。
【００２４】
モデム４１は、音声信号とデジタル信号との間の変復調を行う。ＮＣＵ４３は、公衆交換電話網１１に接続される電話回線とデジタル複合機３９との接続を制御する。
【００２５】
図１を用いて、第１の通信端末装置３の機能ブロックを説明する。第１の通信端末装置３は、入出力部５１、画像データ記憶部５３、宛先情報記憶部５５、送受信部５７及び送信委任部５９を備える。
【００２６】
入出力部５１は、（ａ）第１の通信端末装置３から相手先へインターネット９を利用したファクシミリによって画像データを送信する場合に、ユーザの操作による第１の宛先情報の指定、（ｂ）上記送信する画像データを生成するための画像の読み取り、などの入力機能を有する。第１の宛先情報とは、インターネットを利用したファクシミリにおいて、相手先を特定するための情報であり、具体的には、メールアドレスやＩＰ(Internet Protocol)電話番号である。なお、本発明において、相手先とは、通信システム１を構成する第１の通信端末装置３及び第２の通信端末装置５以外の通信端末装置であって、通信システム１で通信可能な通信端末装置のことを指している。
【００２７】
入出力部５１は、（ａ）インターネット９を利用したファクシミリによって、相手先から第１の通信端末装置３へ送信されてきた画像データ、（ｂ）ＬＡＮ７を経由して、第２の通信端末装置５から第１の通信端末装置３へ転送されてきた画像データ、などをプリントアウトや画面表示する出力機能を有する。（ｂ）は、通信システム１の特徴の一つである。つまり、第１の通信端末装置３は公衆交換電話網１１を利用したファクシミリ通信の機能を備えていないので、公衆交換電話網１１を利用したファクシミリによって相手先から第１の通信端末装置３へ送信された画像データは、第１の通信端末装置３の代わりに第２の通信端末装置５によって受信され、受信した画像データは第１の通信端末装置３へ転送されるのである。
【００２８】
画像データ記憶部５３に格納される画像データは、（ａ）入出力部５１で読み取られた画像（つまり、第１の通信端末装置３から相手先へインターネットを利用したファクシミリによって送信する画像データ）、（ｂ）相手先から第１の通信端末装置３へインターネット９を利用したファクシミリによって送信されてきた画像データ、（ｃ）第２の通信端末装置５から第１の通信端末装置３へ転送されてきた画像データ（この画像データは上述の通り、公衆交換電話網１１を利用するファクシミリによって、相手先から第１の通信端末装置３を宛先として送信されてきた画像データである）、などである。第１の通信端末装置３は、インターネット９を利用したファクシミリ通信をするので、画像データ記憶部５３に格納される画像データの形式は、TIFF形式等である。
【００２９】
宛先情報記憶部５５には、入出力部５１から入力された相手先の第１の宛先情報が格納される。
【００３０】
送受信部５７は、インターネット９を利用したファクシミリで画像データの送信及び受信を実行する。メールアドレスの場合、ＳＭＴＰ(Simple Mail Transfer Protocol)等のプロトコルを使用して相手先との送受信を実行する。これに対して、ＩＰ電話番号の場合、ＳＩＰ(Session Initiation Protocol)等の所定のプロトコルを使用して相手先との送受信を実行する。
【００３１】
送信委任部５９は、送受信部５７による相手先への画像データの送信が失敗したとき、送信を失敗した画像データの相手先への送信を第２の通信端末装置５に委任する。これは通信システム１の特徴の一つである。これにより、第１の通信端末装置３が公衆交換電話網１１を利用したファクシミリ通信の機能を備えていなくても、第１の通信端末装置３がインターネット９を利用したファクシミリで送信を失敗した画像データを、公衆交換電話網１１を利用するファクシミリによって相手先へ送信することが可能となる。送信委任部５９は、上記委任するとき、相手先の第１の宛先情報を、相手先への送信を失敗した画像データと共に第２の通信端末装置５へ送信する。
【００３２】
次に、第２の通信端末装置５の機能ブロックを説明する。第２の通信端末装置５は、入出力部７１、画像データ記憶部７３、宛先情報記憶部７５、第１の送受信部７７、第２の送受信部７９、送信受任部８１、転送部８３、画像データ変換部８５及び対応付け記憶部８７を備える。
【００３３】
入出力部７１は、（ａ）第２の通信端末装置５から相手先へインターネット９を利用したファクシミリによって画像データを送信する場合に、ユーザの操作による第１の宛先情報の指定、（ｂ）第２の通信端末装置５から相手先へ公衆交換電話網１１を利用したファクシミリによって画像データを送信する場合に、ユーザの操作による第２の宛先情報の指定、（ｃ）上記（ａ）（ｂ）で送信する画像データを生成するための画像の読み取り、などの入力機能を有する。
【００３４】
第１の宛先情報は上述の通りである。第２の宛先情報とは、公衆交換電話網１１を利用したファクシミリにおいて相手先を特定するための情報であり、具体的には、ファクシミリ番号である。
【００３５】
入出力部７１は、（ａ）インターネット９を利用したファクシミリによって、相手先から第２の通信端末装置５へ送信されてきた画像データ、（ｂ）公衆交換電話網１１を利用したファクシミリによって、相手先から第２の通信端末装置５へ送信されてきた画像データ、などをプリントアウトや画面表示する出力機能を有する。
【００３６】
画像データ記憶部７３に格納される画像データは、（ａ）入出力部７１で読み取られた画像（つまり、第２の通信端末装置５から相手先へインターネット９や公衆交換電話網１１を利用したファクシミリによって送信する画像データ）、（ｂ）相手先から第２の通信端末装置５へインターネット９や公衆交換電話網１１を利用したファクシミリによって送信されてきた画像データ、（ｃ）公衆交換電話網１１を利用したファクシミリによって相手先から第１の通信端末装置３を宛先として送信されてきた画像データ（この画像データは、第２の通信端末装置５から第１の通信端末装置３へ転送される）、（ｄ）第１の通信端末装置３の送受信部５７による相手先への画像データの送信が失敗したとき、送信委任部５９から送信の委任をされた画像データ、などである。
【００３７】
画像データ記憶部７３に格納される画像データの形式は、インターネット９を利用したファクシミリの場合、TIFF形式等であり、公衆交換電話網１１を利用したファクシミリの場合、MH,MR,MMR,JBIG形式等である。
【００３８】
宛先情報記憶部７５には、入出力部７１から入力された相手先の第１の宛先情報や第２の宛先情報などが格納される。
【００３９】
第１の送受信部７７は、インターネット９を利用したファクシミリで画像データの送信及び受信を実行する。送受信部５７と同様の方法で相手先との画像データの送受信を実行する。
【００４０】
第２の送受信部７９は、公衆交換電話網１１を利用したファクシミリで画像データの送信及び受信を実行する。また、第２の送受信部７９は、公衆交換電話網１１を利用したファクシミリによって、相手先から第１の通信端末装置３を宛先として送信されてきた画像データを第１の通信端末装置３に代替して受信を実行する。第１の通信端末装置３、第２の通信端末装置５や相手先の宛先は、ファクシミリ番号で指定される。第２の送受信部７９は、Ｇ３やＧ４等のファクシミリ通信プロトコルを使用し、公衆交換電話網１１を経由して相手先との画像データの送受信を実行する。
【００４１】
送信受任部８１は、送信を失敗した画像データの相手先への送信を、第１の通信端末装置３の送信委任部５９から委任されたとき、その送信を失敗した画像データの相手先への送信を第２の送受信部７９に実行させる。
【００４２】
転送部８３は、第２の送受信部７９が受信した第１の通信端末装置３を宛先とする画像データを第１の通信端末装置３へ転送する。
【００４３】
画像データ変換部８５は、送信受任部８１へ送信されてきた、相手先への送信を失敗した画像データを、インターネット９を利用したファクシミリ用から公衆交換電話網１１を利用したファクシミリ用に変換する。また、画像データ変換部８５は、画像データを、公衆交換電話網１１を利用したファクシミリ用からインターネット９を利用したファクシミリ用に変換する機能も有する。第２の通信端末装置５が画像データ変換部８５を備えることにより、各第１の通信端末装置３は画像データ変換部８５を備えなくてもよいので、第１の通信端末装置３を小型化かつ低価格化することができる。
【００４４】
第１の通信端末装置３と第２の通信端末装置５との間で画像データをやり取りするプロトコルは、インターネットを利用するファクシミリのプロトコルである（例えば、ＩＴＵ−Ｔ勧告Ｔ．３７）。よって、画像サイズや解像度等が決められているので、電子メールでやり取りする場合に比べて、画像データ変換部８５での画像データの変換は容易である。送信受任部８１は、送信を失敗した画像データの相手先への送信を、変換後の画像データで第２の送受信部７９に実行させる。
【００４５】
対応付け記憶部８７には、例えば図４に示すように、相手先のメールアドレス（第１の宛先情報）とファクシミリ番号（第２の宛先情報）とが対応づけて記憶されている。この対応づけは、後で説明する通信システム１の送信動作で利用する。また、対応付け記憶部８７には、図１に示す三台の第１の通信端末装置３に関して、例えば図５に示すように、第１の通信端末装置３のそれぞれのメールアドレスと第１の通信端末装置３のそれぞれに割り当てられたダイヤルイン番号（ファクシミリ番号）が対応付けて記憶されている。この対応づけは、後で説明する通信システム１の受信動作で利用する。図４や図５では第１の宛先情報をメールアドレスにしているが、メールアドレスの替わりにＩＰアドレスを用いてもよい。
【００４６】
入出力部５１，７１の入力部としての機能は、図２や図３の画像読取部１７や操作部２３により実現される。これに対して、入出力部５１，７１の出力部としての機能は、画像記録部１９や表示部２１により実現される。画像データ記憶部５３，７３の機能は、画像メモリ２９により実現される。宛先情報記憶部５５，７５の機能は、ＲＡＭ２７により実現される。送受信部５７、送信委任部５９、第１の送受信部７７、送信受任部８１及び転送部８３の機能は、制御部１５及びＬＡＮインターフェース３３等により実現される。第２の送受信部７９の機能は、制御部１５、モデム４１及びＮＣＵ４３等により実現される。画像データ変換部８５の機能は、制御部１５、ＲＯＭ２５及びＲＡＭ２７により実現される。対応付け記憶部８７の機能は、ＲＡＭ２７により実現される。
【００４７】
次に、通信システム１の送信動作のうち、第１実施形態の特徴となる送信動作について、図１、図４、図６及び図７を用いて説明する。図６及び図７は、上記特徴となる送信動作を説明するフローチャートである。
【００４８】
第１の通信端末装置３を使った相手先への画像データの送信が失敗したか判断される（ステップＳ１）。送信は、送受信部５７によるインターネット９を利用したファクシミリによって行われる。ここでは、相手先への画像データの送信を複数回試みたが、成功しなかった場合に、失敗と判断される。失敗しなかった場合、つまりインターネット９を利用したファクシミリによって画像データを相手先へ送信できれば終了となる。
【００４９】
これに対して、失敗した場合、送信を失敗した画像データの相手先への送信は、送信委任部５９によって、第２の通信端末装置５に委任される（ステップＳ３）。具体的には、送信委任部５９は、送信を失敗した画像データの相手先への送信を、第１の通信端末措置３の代わりに第２の通信端末装置５が実行する命令をＬＡＮ７経由で第２の通信端末装置５へ送る。この委任の際に、送信委任部５９は、送信を失敗した画像データと同じ画像データを画像データ記憶部５３から読み出すと共に相手先の第１の宛先情報を宛先情報記憶部５５から読み出して、これら画像データ及び第１の宛先情報をＬＡＮ７経由で第２の通信端末装置５へ送信する。
【００５０】
第２の通信端末装置５の送信受任部８１は、第１の通信端末装置３の送信委任部５９から、上記委任されると受任をする（ステップＴ１）。委任の際に送信委任部５９から送信受任部８１へ送信されてきた画像データ及び相手先の第１の宛先情報は、それぞれ、画像データ記憶部７３、宛先情報記憶部７５に格納される。
【００５１】
画像データ記憶部７３に格納された画像データ（つまり相手先への送信を失敗した画像データ）は、画像データ変換部８５において、インターネット９を利用したファクシミリ用から公衆交換電話網１１を利用したファクシミリ用にデータ形式が変換される。また、送信受任部８１は、宛先情報記憶部７５に格納された相手先の第１の宛先情報（つまり送信委任部５９から送信されてきた第１の相手先情報）と図４に示す対応づけを基にして、相手先の第１の宛先情報（メールアドレス）を第２の宛先情報（ファクシミリ番号）に変換する（ステップＴ３）。
【００５２】
送信受任部８１は、公衆交換電話網１１を利用したファクシミリ用に変換された画像データの相手先への送信を、第２の宛先情報を基にして第２の送受信部７９に実行させる（ステップＴ５）。以上により、第１の通信端末装置３がインターネット９を利用したファクシミリで送信を失敗した画像データを、第２の通信端末装置５が公衆交換電話網１１を利用したファクシミリにより送信することができる。
【００５３】
次に、通信システム１の受信動作のうち、第１実施形態の特徴となる受信動作について、図１、図５及び図８を用いて説明する。図８は、上記特徴となる受信動作を説明するフローチャートである。
【００５４】
第１の通信端末装置３は、公衆交換電話網１１を利用したファクシミリ通信の機能を備えていないが、相手先が第１の通信端末装置３に対して、公衆交換電話網１１を利用したファクシミリで画像データの送信ができるように、図５に示すように、三台の第１の通信端末装置３にそれぞれダイヤルイン番号が割り当てられている。なお、第２の通信端末装置５にもダイヤルイン番号（例えば000-111-0000）が割り当てられている。四つのダイヤルイン番号のうち、一つが契約者回線番号で、残りの三つが追加番号である。第２の通信端末装置５は、ダイヤルイン番号で宛先が指定された画像データを受信するので、ダイヤルイン機能を備えている。
【００５５】
四つのダイヤルイン番号のいずれかを宛先情報として、相手先が公衆交換電話網１１を利用したファクシミリで画像データを送信すると、その画像データは第２の通信端末装置５の第２の送受信部７９で受信される（ステップＵ１）。受信した画像データの宛先情報となるダイヤルイン番号が、第２の通信端末装置５に割り当てられたダイヤルイン番号と同じか否か第２の通信端末装置５によって判断される（ステップＵ３）。同じ場合、受信した画像データは第２の通信端末装置５から出力される（ステップＵ５）。
【００５６】
一方、同じでない場合、つまり、第１の通信端末装置３のいずれかに割り当てられたダイヤルイン番号の場合、図５に示す対応づけから第１の通信端末装置３のいずれを宛先にしているか判定する（ステップＵ７）。また、受信した画像データを、画像データ変換部８５において、公衆交換電話網１１を利用したファクシミリ用からインターネット９を利用したファクシミリ用にデータ形式が変換される。
【００５７】
変換後の画像データは、転送部８３によって、受信した画像データの宛先として指定されたダイヤルイン番号と対応するメールアドレスの第１の通信端末装置３へＬＡＮ７経由で転送される（ステップＵ９）。  
【００５８】
以上のように第１実施形態に係る通信システム１によれば、第１の通信端末装置３に備えられるインターネット９を利用したファクシミリ通信の機能を使った相手先へ画像データの送信が失敗しても、その画像データの送信を第２の通信端末装置５に委任し、第２の通信端末装置５は送信を委任された画像データについて、公衆交換電話網１１を利用したファクシミリによって相手先へ送信する。また、相手先から第１の通信端末装置３へ公衆交換電話網１１を利用したファクシミリで送信されてきた画像データは、第１の通信端末装置３の代わりに第２の通信端末装置５によって受信されて、第１の通信端末装置３へ転送される。
【００５９】
よって、通信システム１によれば、第１の通信端末装置３が公衆交換電話網１１を利用したファクシミリ通信の機能を備えていなくても、備えているのと同様の利用ができる。そして、第１の通信端末装置３は公衆交換電話網１１を利用したファクシミリ通信に必要な部品（モデムなど）が不要なので、小型化かつ低価格化できる。また、電話回線も第１の通信端末装置３用には契約する必要がないので、通信システム１の運用コストを抑えることができる。
【００６０】
第２の通信端末装置５は、第１の通信端末装置３に代わって公衆交換電話網１１を利用したファクシミリでの画像の送受信を実行するので、負荷がかかる可能性がある。そこで、第２の通信端末装置５には、ハイエンド機を割り当てることが考えられる。これに対して、第１の通信端末装置３は、公衆交換電話網１１を利用したファクシミリ通信の機能を備えていないので、第１の通信端末装置３にはローエンド機を割り当てることが考えられる。
【００６１】
相手先は何ら特別な設定をしなくても、公衆交換電話網１１を利用したファクシミリ通信の機能を備えていない第１の通信端末装置３に対して、公衆交換電話網１１を利用したファクシミリで画像データを送信することができる。
【００６２】
なお、図１に示すように、通信システム１を構成する複数の第１の通信端末装置３や第２の通信端末装置５どうしは、ＬＡＮ７で接続されている。これは、例えば、ある会社が同じビル内に通信システム１を構築している場合である。しかしながら、これらの通信端末装置どうしを、ＬＡＮ７ではなくインターネット９を介して接続してもよい。これは、例えば、会社の本店と複数の支店とで通信システム１を構築する場合である。
【００６３】
次に、第２実施形態を説明する。図９は、第２実施形態に係る通信システム９１の構成を示すブロック図である。第２実施形態に係る通信システム９１が、図１に示す第１実施形態に係る通信システム１と相違する点を説明する。
【００６４】
第１実施形態に係る通信システム１では、図４に示すような相手先の第１の宛先情報（メールアドレス）と第２の宛先情報（ファクシミリ番号）の対応づけを、第２の通信端末装置５の対応付け記憶部８７に記憶させている。これに対して、第２実施形態に係る通信システム９１では、各第１の通信端末装置３が図４に示すような対応付けを記憶する対応付け記憶部９３を備えている。
【００６５】
したがって、第２実施形態では、第１の通信端末装置３がインターネット９を利用したファクシミリで相手先に画像データを送信するのを失敗した場合、送信委任部５９は対応付け記憶部９３に記憶されている対応付けを基にして、第１の宛先情報を第２の宛先情報に変換する。そして、送信委任部５９は、相手先への送信を失敗した画像データと共に第２の宛先情報を第２の通信端末装置５へ送信する。第２の宛先情報は、例えば、メールのヘッダに付加されて、第２の通信端末装置５へ送信される。
【００６６】
なお、第２の宛先情報を次のようにして第２の通信端末装置５へ送信してもよい。第２の通信端末装置５のメールアドレスを、相手先の第２の宛先情報をユーザログイン名とするメールアドレスにする。例えば、第２の通信端末装置５のメールアドレスを、111-000-2222@aaa.bbbb.co.jpとすると、@より前の111-000-2222が相手先の第２の宛先情報（ファクシミリ番号）である。各相手先によりユーザログイン名が変わるので、第２の通信端末装置５のメールアドレスは相手先に応じて変わることになる。したがって、対応付け記憶部９３には、相手先のファクシミリ番号（第２の宛先情報）の替わりに、相手先の第２の宛先情報をユーザログイン名とする第２の通信端末装置５のメールアドレスが格納されることになる。
【００６７】
相手先の第１の宛先情報と第２の宛先情報の対応付けを、第２の通信端末装置５の対応付け記憶部８７に記憶させた場合、相手先の数が多いと、対応付け記憶部８７に割り当てるメモリの容量が膨大になる。したがって、第２実施形態は相手先の数が多い場合に有効となる。
【００６８】
第３実施形態を説明する。図１０は、第３実施形態に係る通信システム１０１の構成を示すブロック図である。第３実施形態に係る通信システム１０１が、図１に示す第１実施形態に係る通信システム１と相違する点を説明する。
【００６９】
第３実施形態に係る通信システム１０１では、第２の通信端末装置５に、インターネット９を利用したファクシミリをするためのサーバ１０３が備えられている。よって、第１の通信端末装置３の送受信部５７や第２の通信端末装置５の第１の送受信部７７は、画像データを相手先へ送信する場合、直接に相手先へ送信するが、相手先からの画像データを受信する場合、サーバ１０３を介して画像データを受信することになる。したがって、サーバ１０３で受信された画像データは、SMTP(Simple Mail Transfer Protocol)を利用せずに、POP(Post Office Protocol)を利用して、第１の通信端末装置３や第２の通信端末装置５に送られる。
【図面の簡単な説明】
【００７０】
【図１】第１実施形態に係る通信システムの構成を示すブロック図である。
【図２】第１の通信端末装置として用いられるデジタル複合機の構成を示すブロック図である。
【図３】第２の通信端末装置として用いられるデジタル複合機の構成を示すブロック図である。
【図４】第２の通信端末装置に備えられる対応付け記憶部に記憶された、相手先のメールアドレス（第１の宛先情報）とファクシミリ番号（第２の宛先情報）との対応づけを示す図である。
【図５】第２の通信端末装置に備えられる対応付け記憶部に記憶された、第１の通信端末装置のそれぞれのメールアドレスと第１の通信端末装置のそれぞれに割り当てられたダイヤルイン番号（ファクシミリ番号）との対応付けを示す図である。
【図６】第１実施形態に係る通信システムの送信動作のうち、第１の通信端末装置側の動作を説明するフローチャートである。
【図７】第１実施形態に係る通信システムの送信動作のうち、第２の通信端末装置側の動作を説明するフローチャートである。
【図８】第１実施形態に係る通信システムの受信動作を説明するフローチャートである。
【図９】第２実施形態に係る通信システムの構成を示すブロック図である。
【図１０】第３実施形態に係る通信システムの構成を示すブロック図である。
【符号の説明】
【００７１】
１・・・通信システム、７・・・ＬＡＮ、１３，３９・・・デジタル複合機、９１，１０１・・・通信システム
【図１】
2007208752.tif 000003
【図２】
2007208752.tif 000004
【図３】
2007208752.tif 000005
【図４】
2007208752.tif 000006
【図５】
2007208752.tif 000007
【図６】
2007208752.tif 000008
【図７】
2007208752.tif 000009
【図８】
2007208752.tif 000010
【図９】
2007208752.tif 000011
【図１０】
2007208752.tif 000012